(57)【特許請求の範囲】
【請求項１】
血液を受け入れるチェンバーを有し、
該チェンバーは、上部要素と、該上部要素と流体的に連通している下部要素とよりなり、
前記血液の中に渦流を発生させるように前記上部要素に、その接線方向にそって設けられるインレットを有し、
前記上部要素に、前記下部要素と連通する内部空洞（インナーキャビティー）及び、付加的な流体が流入することを許すポートを有し、
該内部空洞（インナーキャビティー）に連通する真空吸出しポートを有し、
前記血液が前記チェンバーから流出することを許す排出ポートを有し、
流出する流体を運ぶために前記排出ポートに接続される可撓性のアウトレット管を有し、
該可撓性のアウトレット管に近接して前記チェンバーの底に設けられている凹部を有し、
該可撓性のアウトレット管がローラに押されて前記凹部に入り込むとき、前記可撓性のアウトレット管に向かって押されて前記流体を前記排出ポートから排出するように動作するプラテンを有し、
前記上部要素から前記下部要素に流れる前記血液から固体状体（パーティクル）を除去するためのフィルタを、前記上部要素と前記下部要素との間に有する
ことを特徴とする血液を回収し排出する装置。
【請求項２】
前記上部要素は円筒状であることを特徴とする請求項１に記載の血液を回収し排出する装置。
【請求項３】
前記可撓性のアウトレット管の一端を支持するクリップを有することを特徴とする請求項１に記載の血液を回収し排出する装置。
【発明の詳細な説明】
発明の技術分野
本発明は、流体の回収及び送出のための技術に関する。特に、生理的流体の回収のために使用される使い捨て容器と、その流体を他の容器に移送する技術とに関する。
技術の背景
真空を使用して血液等の流体を外科医の現場から回収する技術は知られている。このようにして回収された血液から空気と微粒子状の汚染物とを分離する処理がなされることが一般である。生理的流体用に使用するフィルタとして知られているフィルタは、典型的には、回収された流体から空気を分離するための遠心力を発生するために円筒状のインレットチェンバーの周の接線方向にそって設けられる管状インレットや、微粒子状の汚染物をさらに除去するための物理的フィルタ等の特徴的手段を使用している。しかし、これらのデバイスは、回収した流体の容易な送出には不向きであり、回収した血液の凝固防止のための効果的処理を可能にしておらず、しかも、その他にも欠点がある。
発明の概要
本発明においては、血液回収室は、回収した流体例えば血液その他の生理的流体を集めて収容する真空室を有する。その容器の組み合わせ体は、回収した流体をその容器から送出するためのポンプを、少なくとも有する。好ましい実施例においては、そのチェンバーは、外科医の現場から送出される血液その他の生理的物質の真空回収のシステムに使用される。
その容器は、上部室と下部室とに分離されている。上部室は円筒状であり、外科医の現場からの流体を受け入れ、その流体から空気と固体状物との一次的の分離を実行する。その一次的の分離は、渦を形成するように流体をチェンバーに導入することによってなされる。その後、流体をさらに洗浄するために、その流体は、上下室の間に設けられるフィルタを通過する。好ましい実施例においては、上部室の周の接線方向に流体を導入することにより、渦が発生される。真空ポートが下部室と連通しており、流体を外科医の現場から上部室に導入し、その後、重力の助けを借りて流体を上部室から下部室に導くための圧力差を作り出す。
上部室には、回収された流体と混合される第２の流体を導入するポートが設けられる。好ましい実施例においては、第２の流体は非凝血剤である。チェンバーに導入される非凝血剤の量は、真空度の関数である。したがって、導入される流体量が多ければ多量の非凝血剤が導入され、その結果、容器中に回収される流体と非凝血剤との割り合いが一定に保持される傾向が生ずる。その結果、非凝血剤を移送するための別個のポンプまたは非凝血剤の量を計測するための計測装置の必要がなくなる。
本発明のその他の特徴は、回収された流体を容器から送出する手段である。容器は負圧の下にあるから、回収された流体を容器から送出するためにはポンプが必要である。公知のポンプにはローラーポンプがある。下部室の底は、そのようなローラーポンプのプラテンとされている。アウトレット管はプラテンの近傍に設けられ、その結果、チェンバーがローラーの上に置かれると、アウトレット管は、ローラーによって、プラテンに向かって押されるであろう。したがって、ローラーポンプは、自動的に、配管の上に置かれることになり、ローラーポンプは、ローラーを含む支持体の上にチェンバーが置かれた直後に動作することを可能にするであろう。
【図面の簡単な説明】
図１は、本発明に係るチェンバーの斜視図である。
図２は、図１に示され、ローラーポンプの台の上に据えられているチェンバーの横断面図である。
好ましい実施例の詳細な説明
図１参照
本発明に係るチェンバー４００は上部要素４０２とこれに取り付けられた下部要素４０４とよりなる。上部要素４０２は外壁４０６と内壁４０８とを有し、概略的に円筒状上部室と流体インレット４１０とよりなる。上部室の床は、４００μｍ乃至６００μｍの開口を有する微粒子からなるフィルタ４１２を有する。真空ポート４１４は、内壁４０８によって構成されるインナー凹部と連通しており、このインナー凹部は、下部要素４０４によって構成される下部室と連通している。
例えば、真空ポート４１４に接続される真空ポンプ（図示せず。）から得られる真空が真空ポート４１４に与えられると、空気と流体とが流体インレット４１０に導入される。その流体インレット４１０は管状であることが望ましい。そして、その管の軸は上部室の周の接線方向であることが望ましい。そのため、外科医の現場から送られて来る流体は上部室で渦となり、空気と固体物とを流体から分離するように働く。渦はバッフル（ストッパ）４１６によって止められ、流体から固体物が分離され、流体と空気のみがフィルタ４１２を通過する。フィルタ４１２の存在によって上下室間に作られる圧力差と重力とによって、流体と空気とはフィルタ４１２を通過するのである。
第２の流体好ましくは非凝血剤が、ポート４１８を介して、上部室中の流体中に導入される。例えば、非凝血剤が入れられた袋を容器の上に吊り下げておき可撓チューブを介してポート４１８に接続しておけばよい。ポート４１８の底は、上部室に連通している多孔質円板４２０によってカバーされている。上部室に導入される非凝血剤の量は、上部室中の真空の程度によって制御される。したがって、真空度が上昇すると、流体インレット４１０を介して導入される流体量は増加し、ポート４１８を介して導入される非凝血剤の量も増加する。その結果、真空度が制御されれば、回収される流体に含まれる非凝血剤の割り合いは一定に保持される。それ以上に、円板４２０は、上部室に対して比較的大きな表面積を有するので、流体インレット４１０の真空度を望ましい値にするために他のポンプを使用することを必要とすることなく、ポート４１８の圧力を、望ましい量の非凝血剤を流体中に導入するに十分な大きさにすることが容易にできる。
好ましい実施例においては、真空ポート４１４に与えられる真空は制御されるので、流体インレット４１０と連通している流体回収管中の流体の検出のみにもとづいて、真空度は、（例えば、約１００ｍｍ水銀柱）に増加される。例えば、流体回収管中の狭窄部（例えば、オリフィス）前後の圧力降下を計測する等して、装置が流体回収管中に流体がないと判定すると、真空度は、大変小さな値（例えば、約２０ｍｍ水銀柱）に低下する。このように、装置が流体を回収していないと、真空度が低いのでチェンバー中に非凝血剤が殆ど導入されないか、導入されても少量である。
円板４２０は、１０μｍ乃至２０μｍの細孔を有する公知の多孔質の材料、例えば、シンターされたポリエチレンが好ましい。それに代えて、機械的な弁を、独立に、または、多孔質円板と共に、使用してもよい。非凝血剤の通過容易性は、材料の疎水性、円板の厚さ、円板の形状・寸法、または、弁の場合はクラッキング圧力または流体抵抗等に依存する。
チェンバー内に回収された流体４２２は、下部室に入れられる。しかし、チェンバーには、流体送出ポート４２４を介して流体４２２を送出する手段がさらに設けられている。その流体送出手段は、好ましくは、ローラーポンプである。そのポンプは、水平軸を中心として回転する構造体として知られているローラー組立体４２６を含む。ローラーポンプには、ローラー組立体と共に動作するプラテン（ｐｌａｔｅｎ）が必要である。このプラテンは、本発明に係るチェンバーの底に設けられている。したがって、可撓性の流体送出管４２８が、チェンバーの底にあるインナー凹部４３０の近傍にある流体送出ポート４２４に連結される。そして、それがローラーポンプのプラテンを構成する。流体送出管４２８は、ポート４２４が挟み金具４３２と連結されることによって、プラテン４３０の直下に支持される。チェンバーがローラー４２６の上に置かれると、流体送出管４２８は上方に押されてプラテン４３０と結合する。そして、プラテンとローラーとの間に圧縮される。そこで、回収された流体はローラー４２６の回転によって送出される。
所望によっては、送出する前に流体をさらに清浄にするために、第２のフィルタ４３４を、流体送出ポートの上に配置してもよい。
下記する請求の範囲に含まれる改変は、当業者によって推考容易であろう。
【図１】
0003980058.tif 000002
【図２】
0003980058.tif 000003